(57)【要約】      （修正有）【課題】構成がシンプルで、且つ、収納袋がユニークにして楽しい携帯電話用報知器を提供する。【解決手段】容体３と蓋１９で形成される前記容体３内に、電池７と、回路基板６と、ギヤ９に係合するモーター１０を位置した前記ギヤ９に、モーター１０の駆動力で左右に動く振り棒１５を取り付けて成る着信報知器１本体に、一部に筒袋を設けた開口側に吊り紐を取り付けた収納袋を組み合わせて成る携帯電話用の着信報知器１とする。【選択図】図１
0003130442.tif 000002
【実用新案登録請求の範囲】
【請求項１】
容体と蓋で形成される前記容体内に、電池ケースと、着信電波で作動する回路基板と、ギヤに係合するモーターを位置した前記ギヤに、モーターの駆動力で左右に動く振り棒を取り付けて成る着信報知器本体を形成し、その着信報知器に、一部に筒袋を有する開口側に吊り紐を取り付けた収納袋を組み合わせて成る構成を特徴とする携帯電話用着信報知器。
【請求項２】
前記する回路基板に、スピーカーに配線される音声発生回路を設けた請求項１に記載する携帯電話用着信報知器。
【請求項３】
前記する収納袋が、動物の毛皮模様を施した生地で形成する請求項１に記載する携帯電話用着信報知器。
【請求項４】
前記する振り棒が、振り棒先端を二股にした端部に、擬似目玉を設けて成る請求項１又は請求項２又は請求項３に記載する携帯電話用着信報知器。
【考案の詳細な説明】
【技術分野】
【０００１】  本考案は、携帯電話の着信電波や振動を感知して特定の動きで知らせる着信報知器であるとともに、且つ、その着信報知器を携帯収納する袋が、動物の毛皮模様を施すとともに、尾状を成す筒袋が振れて知らせる面白さも演出できるユニークな携帯電話用着信報知器に関する。
【背景技術】
【０００２】  従来、携帯電話はメロデイーで着信を知らせる以外に、周りに迷惑を掛けないように振動や光点滅により着信を知らせる方式があり、それぞれユーザーの好みで使い分けている。【０００３】  さらに、固定電話や携帯電話の着信を知らせるために、電話機からの電波や音、振動などを感知するセンサーを備えた犬の尾を有する動物擬態形態を成す装置において、鼻部分が点滅したり、尾を振ったり、且つ、スピーカーから鳴き声を発して知らせる装置がある。（例えば、特許文献１参照）
【特許文献１】特開平１１−１４６０３７公報
【考案の開示】
【考案が解決しようとする課題】
【０００４】  上記するような技術があるが、以下に示すような不便や欠点があった。現在一般的には携帯電話を携行する場合はポケットや鞄やバッグなどに入れているが、メロデイーの場合は音が聞こえないこともあり、またバイブレーションの場合は、体に触れるように位置するか、テーブル面に置いて振動音が聞こえるようにしないと分かりにくいなどの不便があった。【０００５】  また、特開平１１−１４６０３７公報に開示される技術は、固定電話や携帯電話の着信を、尾を有する動物を模した擬似形態の報知装置を電話に面ファスナーで取り付け、着信信号や振動、メロデイーに対応して前記の擬似形態の報知装置から動物の鳴き声を発したり、尾部分が動くことで知らせるものであるが、この場合、報知装置を固定電話や携帯電話に面ファスナーで取り付けて置かなければならず面倒であった。さらに携帯電話などの場合は、報知装置を一体に組み込んだ袋を被せたり収納できるが、吊り下げ紐は備えていないのでポケットに入れるにはかさばるし、吊り下げては携行できない。また、袋は一部に尾を有する動物の擬似形態を成すが、その生地には動物様の毛皮模様や特徴を施していないためお洒落とは言えず、携帯電話はファッションの一部と考える今の時代においては、機能的にも意匠的にもファッション性が得られないなどの不便や欠点がある電話着信報知装置であった。
【課題を解決するための手段】
【０００６】  本考案は、上記のような従来の不便や欠点を解消するために、請求項１においては、容体と蓋で形成される前記容体内に、電池ケースと、着信電波を感知する回路基板と、ギヤを備えたモーターを位置した前記ギヤに、着信に連動して左右に動く振り棒を取り付けて成る着信報知器本体に、一部に筒袋を有し、開口側に吊り紐を取り付けた収納袋を組み合わせることで、電携電話の着信を外部からでもはっきりと知ることができ、且つ、携帯においてもお洒落で楽しい携帯電話用着信報知器とする。【０００７】  請求項２においては、前記する回路基板に、スピーカーに配線される音声発生回路を設けることで、振り棒の動きに連動して音声や音を発生できるものとする。【０００８】  請求項３においては、前記する収納袋が、動物の模様表示を施した生地で形成することで、意匠的にもファッション性を高められるものとする。【０００９】  請求項４においては、前記する振り棒が、先端を二股にした端部に擬似目玉を設けることで、着信に連動して目が動くようにする。
【考案の効果】
【００１０】  本考案による携帯電話用着信報知器は、手の平に載る程度の大きさの着信報知器に、着信電波やメロデイーや振動を感知するに連動して容器の一部に突出した振り棒が左右に動くので、例え、厚着をした体の外部からはもとより、離れた場所に置いた場合でも着信を容易に知ることができる。また、回路基板に動物や鳥の鳴き声などの発声回路を設けたタイプは、さらに面白さや楽しさを与えられる着信報知器となる。【００１１】  加えて、前記する着信報知器は、携帯に便利なポーチ状で、且つ、犬や猫などの毛皮模様表示した収納袋を組み合わせられるので、鞄や腰のベルトに吊り下げても見栄え良く、外見的にもお洒落で楽しい報知器として使えることはもとより、報知器の振り棒は、動物の形態を成す収納袋の筒袋に収まるので、着信とともに動物の尾部分が動いて知らせるので、ファッション性はもとより話題性も演出できる携帯電話用のユニークな着信報知器を提供する。
【考案を実施するための最良の形態】
【００１２】  本考案の着信報知器の実施形態を、図１に示す一部分解斜視図と図２に示すブロック回路図、図３の着信報知器に組み合わせる収納袋を示す斜視図、図４の着信報知器を収納袋に収めた状態の参考断面図で説明する【００１３】  本実施形態に示す着信報知器１は、着信報知器１本体と、それを携帯できる収納袋２を一組とする。まず、着信報知器１本体は、手の平に収まる程度の容体３の一方に幅の狭い開口部４を有し、その対向側に小さな切り欠き部５を形成した側に、着信電波とともにメロデイーやバイブレーションが作動する回路基板６を位置し、その隣中ほどに電池７をセットできる電池ケース８を位置し、さらに、その隣の開口部４側には、減速機構とするギヤ９，９を係合させたモーター１０を位置して成る前記ギヤ９の突起１１に、一方に溝穴１３を、他方にキャップ１４付きコイルバネによる振り棒１５を取り付けた係合軸板１２を形成して成る、前記係合軸板１２の溝穴１３を係合させるとともに、振り棒１５寄りを開口部４の突起１１に係合させて支点とすることで、前記振り棒１５がモーター１０の駆動力で左右に振れるようにする。【００１４】  さらに、前記切り欠き部５には前記回路基板６に配線されるスイッチ１６を位置して成る容体３に、電池蓋１７を備え、且つ、開口部４とネジ穴１８，１８を設けた蓋１９を、前記容体３内に設けたネジ軸２０，２０にネジ（図示せず）留めして成る携帯電話用の着信報知器１本体を構成する。【００１５】  以上のように構成することで、電話が掛かると、前記する着信報知器１に設けた回路基板６は、電波信号をＲＦ検波２１で認知し、第１増幅器２２、検波２３、第２増幅器２４、モーター駆動回路２５、入力制御回路２６及び電源２８を配した回路基板６によって前記モーター１０を駆動させることで、前記振り棒１５を左右に振って着信を知らせる。【００１６】  次に、上記する着信報知器１本体に組み合わせる専用の収納袋２を説明する。この収納袋２を形成する素材は、毛羽立った生地で、且つ、犬や猫などの動物の毛皮模様を施した生地により、前記着信報知器１本体と携帯電話Ａが収まる大きさに形成するとともに、前記着信報知器１の振り棒１５が収まる細い筒袋２７を設けたポーチ状の収納袋２を形成し、その開口側の内部に、２枚で一組とする面ファスナー２９の一方を取り付けた開口部に吊り紐３０を取り付けて成る収納袋２に、別体形成される仕切り板３１の上部に前記面ファスナー２９に係合する面ファスナー２９を取り付けるとともに、下部に接着部３２を設けた仕切り板３１を組み合わせた収納袋２と、前記着信報知器１本体を一組とする携帯電話用の着信報知器１を構成する。【００１７】  本考案による携帯電話用の着信報知器は以上のような構成であるので、使用する場合は、収納袋２の仕切り板３１を取り出してから、スイッチ１６を入れた着信報知器１の背面に仕切り板３１の接着部３２を貼り付けた後に振り棒１５側から入れると、図４に示すように、振り棒１５を有する着信報知器１は、筒袋２７付き収納袋２内にスムーズに収まってセットされる。後は仕切り板３１の他部スペースに携帯電話Ａを収めると、吊り紐３０をベルトの通し輪やバッグの取っ手などに吊り留めて携行できるので、電話の着信とともに回路が作動すると、モーター１０及びギヤ９が回転するに連動して振り棒１５が左右に振れるので、収納袋２の筒袋２７はあたかも動物が尻尾を振るように動いて、見た目にも容易に電話の着信を知らせられる携帯電話用の着信報知器１となる。【００１８】  次にその他の実施形態を示す。【００１９】  前記実施形態における回路基板６は着信電波とともにメロデイーやバイブレーションを感知して作動するものであるが、図示しないが、前記回路基板６にさらに別の回路を加えるとともに、振り棒１５も他の実施形態を示す。まず、前記回路基板６にはモーター１０を駆動させる回路とともに、犬や猫などの動物の鳴き声を発する音声発生回路とスピーカーを加える。さらに振り棒１５においては、長さをもっと短くした端部を二股とし、その端部に動物の目模様の擬似目玉を設けた着信報知器１本体を形成するとともに、その着信報知器１を収める収納袋２は、前記振り棒１５の擬似目玉部分に２つの開口穴を設けた収納袋２を組み合わせて成る構成とする。【００２０】  本考案は以上のような構成であるが、携行時に着信報知器１に専用の収納袋２を組み合わせると見た目にもお洒落で好ましいが、報知器のみ単体で携行して使用してもよいし、固定電話に用いてもよい。また、振り棒１５はコイルバネであるが弾性棒でも構わない。さらに、着信報知器１の振り棒１５は尻尾状の筒袋２７に収めているが、耳や手、鼻、腕状を成す筒袋１５を形成しても差し支えず、いずれも特に限定するものではない。
【図面の簡単な説明】
【００２１】
【図１】本考案の実施形態による着信報知器本体を示す分解斜視図である。
【図２】本考案の着信報知器のブロック回路図である。
【図３】本考案の着信報知器に組み合わせる収納袋を示す分解斜視図である。
【図４】本考案の着信報知器を収納袋に組み合わせた状態を示す参考断面図である。
【符号の説明】
【００２２】１  着信報知器
２  収納袋
３  容体
４  開口部
５  切り欠き部
６  回路基板
７  電池
８  電池ケース
９  ギヤ
１０  モーター
１１  突起
１２  係合軸板
１３  溝穴
１４  キャップ
１５  振り棒
１６  スイッチ
１７  電池蓋
１８  ネジ穴
１９  蓋
２０  ネジ軸
２１  ＲＦ検波
２２  第１増幅器
２３  検波
２４  第２増幅器
２５  モーター駆動回路
２６  入力制御回路
２７  筒袋
２８  電源
２９  面ファスナー
３０  吊り紐
３１  仕切り板
３２  接着部
Ａ  携帯電話
【図１】
0003130442.tif 000003
【図２】
0003130442.tif 000004
【図３】
0003130442.tif 000005
【図４】
0003130442.tif 000006